(57)【要約】【課題】内視鏡の複数の異なる形状のライトガイドコネクタを、外観上の見栄え良く、また、使い勝手良く簡単に光源装置に接続できる内視鏡システムを提供する。【解決手段】光源装置と、該光源装置に接続されたライトガイドを有する内視鏡とを、具備する内視鏡システムであって、ライトガイドの一端に形成されたライトガイドコネクタと、光源装置１０に配設され、光源装置１０にライトガイドコネクタが接続された際、ライトガイドの一端の外周を把持する把持手段１１と、光源装置１０に配設され、複数の異なる形状の上記ライトガイドコネクタが接続される上記ライトガイドコネクタの形状と一致した複数の接続口が形成された円板状の回動部材１７と、光源装置１０に配設され、回動部材１７を回動させることにより、上記複数の接続口のいずれか１つを把持手段１１と対向する位置に移動させる選択回動手段１２とを有することを特徴とする。【選択図】図２
2005152365.tif 000002
【特許請求の範囲】
【請求項１】
光源装置と、該光源装置からの照明光を導光する光源装置に接続されたライトガイドを有する内視鏡とを、具備する内視鏡システムであって、
上記ライトガイドの一端に形成されたライトガイドコネクタと、
上記光源装置に配設され、該光源装置に上記ライトガイドコネクタが接続された際、上記ライトガイドの一端の外周を把持する把持手段と、
上記光源装置に配設され、複数の異なる形状の上記ライトガイドコネクタが接続される複数の異なる形状の上記ライトガイドコネクタの形状と一致した複数の接続口が形成された円板状の回動部材と、
上記光源装置に配設され、上記回動部材を回動させることにより、上記複数の接続口のいずれか１つを上記把持手段と対向する位置に移動させる選択回動手段と、
を有し、
上記選択回動手段が回動され、上記光源装置に接続される上記ライトガイドコネクタと一致する上記回動部材の上記接続口を、上記把持手段と対向する位置に移動させることにより、上記ライトガイドコネクタと上記接続口とは接続されることを特徴とする内視鏡システム。
【請求項２】
上記光源装置は、さらに表示手段を有し、上記接続口に接続された上記内視鏡の種類または製造者を表示することを特徴とする請求項１に記載の内視鏡システム。
【請求項３】
上記表示手段は、開口より構成されており、上記回動部材の上記接続口の近傍に記載された上記内視鏡の種類または製造者を示す接続指標を表示することを特徴とする請求項２に記載の内視鏡システム。
【請求項４】
上記表示手段は、セグメントまたは液晶表示パネルであることを特徴とする請求項２または請求項３に記載の内視鏡システム。
【請求項５】
上記回動部材及び上記選択回動手段は互いに噛合する円板状の歯車から形成されていることを特徴とする請求項１から請求項４のいずれかに記載の内視鏡システム。
【請求項６】
上記選択回動手段は、モータにより駆動されることを特徴とする請求項１から請求項５のいずれかに記載の内視鏡システム。
【請求項７】
上記光源装置はさらに検知手段を有し、また上記回動部材は外周に複数の突起を有し、上記検知手段は、上記突起を検出することにより、上記選択回動手段により回動される上記回動部材の上記複数の異なる接続口の１つを、上記把持手段と対向する位置に移動させることを特徴とする請求項１から請求項６のいずれかに記載の内視鏡システム。
【請求項８】
上記検知手段は、複数からなることを特徴とする請求項７に記載の内視鏡システム。
【請求項９】
上記回動部材は、上記選択回動手段と同一であることを特徴とする請求項１に記載の内視鏡システム。
【請求項１０】
上記回動部材は、外周に複数の突起部を有し、上記光源装置から一部が露呈された上記突起部が回動操作されることを特徴とする請求項１から請求項９のいずれかに記載の内視鏡システム。
【請求項１１】
上記回動部材は、上記光源装置に対してクリックストップ機構を有し、上記光源装置に接続される上記ライトガイドコネクタの１つと一致する上記回動部材の上記複数の異なる接続口を、上記把持手段と対向する位置に停止させることを特徴とする請求項１から請求項１０のいずれかに記載の内視鏡システム。
【発明の詳細な説明】
【技術分野】
【０００１】
本発明は、内視鏡システム、詳しくは内視鏡と該内視鏡が接続される光源装置とにより構成される内視鏡システムに関する。
【背景技術】
【０００２】
周知のように、内視鏡は、医療分野等において広く利用されている。内視鏡は、体腔内に細長い挿入部を挿入することによって、体腔内の臓器を観察したり、必要に応じて処置具の挿通チャンネル内に挿入した処置具を用いて各種処置をしたりすることができる。
【０００３】
また、挿入部には、光源装置からの光を出射することにより体腔内の観察部位を照明するライトガイドが配設されており、さらに、ライトガイドは、例えば複数本の光ファイバを結束することにより形成されている。
【０００４】
ところで、ライトガイドを光源装置に接続する際は、該ライトガイドの基端部に設けられたライトガイドコネクタを光源装置に設けられた接続口であるソケットに接続するのが一般的である。しかし、光源装置のソケットの形状が規定されている場合、例えば製造元の異なる複数種の内視鏡、即ち複数の異なる形状のライトガイドコネクタを光源装置に接続することができないといった問題があった。
【０００５】
このような事情に鑑みて、特許文献１には、光源装置の前面パネルに、複数の異なる形状のライトガイドコネクタと一致する複数の異なる形状のソケットを配設し、例えば製造元の異なる複数種の内視鏡を接続できる光源装置が提案されている。
【０００６】
また、光源装置のソケットに、複数の異なる形状のライトガイドコネクタと一致する変換アダプタを設けたものや、光源装置のソケットに対向する内部に変換アダプタを配設したものも知られるところにある。
【特許文献１】特開平１−４５８９１号公報
【発明の開示】
【発明が解決しようとする課題】
【０００７】
しかしながら、特許文献１に開示された光源装置のように、光源装置の前面パネルに複数の異なる形状のソケットを配設した場合や、光源装置のソケットに複数の異なる形状のライトガイドコネクタと一致する変換アダプタを配設した場合は、光源装置の外観の見栄えが悪くなってしまうといった問題がある。また、光源装置の内部に変換アダプタを配設したものは、使い勝手の良いものが提案されていないのが実情である。
【０００８】
本発明は、上記問題点及び事情に鑑みてなされたものであり、内視鏡の複数の異なる形状のライトガイドコネクタを、外観上の見栄え良く、また、使い勝手良く簡単に光源装置に接続できる内視鏡システムを提供することを目的とする。
【課題を解決するための手段】
【０００９】
上記目的を達成するために本発明による内視鏡システムは、光源装置と、該光源装置からの照明光を導光する光源装置に接続されたライトガイドを有する内視鏡とを、具備する内視鏡システムであって、上記ライトガイドの一端に形成されたライトガイドコネクタと、上記光源装置に配設され、該光源装置に上記ライトガイドコネクタが接続された際、上記ライトガイドの一端の外周を把持する把持手段と、上記光源装置に配設され、複数の異なる形状の上記ライトガイドコネクタが接続される複数の異なる形状の上記ライトガイドコネクタの形状と一致した複数の接続口が形成された円板状の回動部材と、上記光源装置に配設され、上記回動部材を回動させることにより、上記複数の接続口のいずれか１つを上記把持手段と対向する位置に移動させる選択回動手段と、を有し、上記選択回動手段が回動され、上記光源装置に接続される上記ライトガイドコネクタと一致する上記回動部材の上記接続口を、上記把持手段と対向する位置に移動させることにより、上記ライトガイドコネクタと上記接続口とは接続されることを特徴とする。
【００１０】
また、上記光源装置は、さらに表示手段を有し、上記接続口に接続された上記内視鏡の種類または製造者を示す接続指標を表示することを特徴とし、さらに、上記表示手段は、開口より構成されており、上記回動部材の上記接続口の近傍に記載された上記内視鏡の種類または製造者を表示することを特徴とし、また、上記表示手段は、セグメントまたは液晶表示パネルであることを特徴とし、さらに、上記回動部材及び上記選択回動手段は互いに噛合する円板状の歯車から形成されていることを特徴とし、また、上記選択回動手段は、モータにより駆動されることを特徴とする。
【００１１】
さらに、上記光源装置はさらに検知手段を有し、また上記回動部材は外周に複数の突起を有し、上記検知手段は、上記突起を検出することにより、上記選択回動手段により回動される上記回動部材の上記複数の異なる接続口の１つを、上記把持手段と対向する位置に移動させることを特徴とし、また、上記検知手段は、複数からなることを特徴とし、さらに、上記回動部材は、上記選択回動手段と同一であることを特徴とし、また、上記回動部材は、外周に複数の突起部を有し、上記光源装置から一部が露呈された上記突起部が回動操作されることを特徴とし、さらに、上記回動部材は、上記光源装置に対してクリックストップ機構を有し、上記光源装置に接続される上記ライトガイドコネクタの１つと一致する上記回動部材の上記複数の異なる接続口を、上記把持手段と対向する位置に停止させることを特徴とする。
【発明の効果】
【００１２】
本発明の内視鏡システムは、内視鏡の複数の異なる形状のライトガイドコネクタを、外観上の見栄え良く、また、使い勝手良く簡単に光源装置に接続できる内視鏡システムを提供することができる。
【発明を実施するための最良の形態】
【００１３】
以下、図面を参照して本発明の実施の形態を説明する。
【００１４】
（第１実施の形態）
図１は、本発明の第１実施の形態を示す内視鏡システムの構成の概略を示す図である。  
図１に示すように、内視鏡システム１００は、内視鏡４と周辺装置５０とにより主要部が構成されており、また周辺装置５０は、内視鏡４に接続された光源装置１０及びビデオプロセッサ７０と該ビデオプロセッサ７０に接続されたモニタ８とを有して、主要部が構成されている。
【００１５】
内視鏡４は、体腔内の観察部位５を照明する光源装置１０からの光を出射するライトガイド３と、該ライトガイド３を光源装置１０の後述する回動部材１７の接続口（図３参照）に接続する際に用いられるライトガイド３の基端部に形成されたライトガイドコネクタ３ａと、図示しないＣＣＤ素子を有し、またビデオプロセッサ７０の後述するＣＰＵ７に接続され、撮像した体腔内の観察部位５の映像を電気信号に変換してＣＰＵ７に送信するカメラヘッド６とを、有している。
【００１６】
光源装置１０は、光源１と、該光源１からの照明光をライトガイド３へ集光させる絞り２と、該絞り２に接続され、被写体の観察部位５の明るさが一定となるよう絞り２の開閉動作を制御する調光回路９と、内向フランジを有し、接続されたライトガイド３の一端の外周を把持する把持手段である出力コネクタ１１とを、有している。
【００１７】
また、ビデオプロセッサ７０は、カメラヘッド６から送信された映像信号を信号処理してモニタ８に出力するＣＰＵ７を有している。さらに、モニタ８は、ＣＰＵ７に接続され、該ＣＰＵ７から出力された観察部位５の映像を表示する。
【００１８】
よって、光源１からの出射光は、絞り２により明るさが調整された後、ライトガイド３を介して体腔内の観察部位５を照明する。体腔内の観察部位５の映像は、カメラヘッド６内のＣＣＤ素子により電気信号に変換され、ＣＰＵ７により信号処理された後、モニタ８から体腔内の観察部位５が観察できるようになっている。
【００１９】
図２は、図１の光源装置の斜視図、図３は、図２の光源装置内に配設された回動部材と選択回動部材の拡大正面図である。尚、以下、図中前側を前方、後側を後方と称す。  
図２に示すように、光源装置１０の前面に形成されたフロントパネル１３には、ライトガイドコネクタ３ａが光源装置１０に接続された際、ライトガイド３の一端の外周を把持する出力コネクタ１１が配設されている。また、フロントパネル１３であって、出力コネクタ１１の近傍には、後述する回動部材１７の接続指標（図３参照）を表示することにより、例えば接続された内視鏡の種類または製造者を表示する開口より構成された表示手段である指標孔１４が形成されている。さらに、フロントパネル１３であって指標孔１４の近傍には、回動部材１７を回動させるための回動ノブ５２が配設されている。
【００２０】
光源装置１０のフロントパネル１３に対向する内部、詳しくは出力コネクタ１１及び指標孔１４に対向する位置には、回動部材１７が配設されており、また、光源装置１０のフロントパネル１３に対向する内部、詳しくは回動ノブ５２に対向する位置には、回動ノブ５２に回動中心が接続された選択回動手段である選択回動部材１２が配設されている。
【００２１】
詳しくは、図３に示すように、回動部材１７は、外周に複数の歯１７ａが形成された円板状の歯車から構成され、回動中心が光源装置１０の図示しないベースに滑り性の良い部材を介して回動自在に固定されることにより回動自在に支持されている。
【００２２】
回動部材１７の前面には、内視鏡の例えば４種類の異なる形状のライトガイドコネクタが接続される、例えば４種類の異なる形状を有するソケットである接続口１５ａ，１５ｂ，１５ｃ，１５ｄがそれぞれ形成されており、該接続口１５ａ，１５ｂ，１５ｃの近傍には、例えば接続された内視鏡の種類または製造者を示した接続指標Ａ（１６ａ），Ｂ（１６ｂ），Ｃ（１６ｃ）がそれぞれ記載されている。
【００２３】
選択回動部材１２は、外周に複数の歯１２ａが形成された円板状の歯車から構成され、回動中心が光源装置１０の図示しないベースに滑り性の良い部材を介して回動自在に固定されることにより回動自在に支持されている。
【００２４】
また、選択回動部材１２の回動中心には、フロントパネル１３を挟接して回動ノブ５２が接続されている。さらに、選択回動部材１２の歯１２ａは、回動部材１７の歯１７ａと噛合している。尚、回動部材１７は、例えば選択回動部材１２が１回転すると、回動部材１７が１／４回転するように、回動部材１７の歯１７ａと選択回動部材１２の歯１２ａと比は４：１となっている。よって、回動ノブ５２が回動することにより、選択回動部材１２と回動部材１７とは連動して回動する。
【００２５】
このように構成された、光源装置１０に複数の異なる形状のライトガイドコネクタを接続するには、まず、使用者は、回動ノブ５２を時計回りに回転させる。このことにより、選択回動部材１２の歯１２ａが回動部材１７の歯１７ａへ回転力を伝達し、回動部材１７は、選択回動部材１２に連動して反時計回りに回転を始める。
【００２６】
その後、使用者は、内視鏡４のライトガイドコネクタ３ａの形状と、回動部材１７に形成された接続口１５ａ，１５ｂ，１５ｃ，１５ｄの内、いずれか１つの接続口とが一致するまで回動ノブ５２を回転させる。尚、ここでは、説明上、接続口１５ａが一致したとする。
【００２７】
ライトガイドコネクタ３ａの形状と、接続口１５ａとが一致した後、即ち、ライトガイドコネクタ３ａの形状と一致する接続口１５ａが、光源装置１０の出力コネクタ１１と対向する位置に移動した後、使用者は、回動ノブ５２の回転を止める。この際、ライトガイドコネクタ３ａの形状と接続口１５ａとが一致すると、接続口１５ａの近傍に記載された接続指標１６ａが光源装置１０のフロントパネル１３に設けられた指標孔１４から露呈されることから、使用者は、内視鏡４の、例えば種類または製造者を識別することができる。
【００２８】
ライトガイドコネクタ３ａが接続される接続口が決定した後、使用者は、光源装置１０の出力コネクタ１１にライトガイドコネクタ３ａを接続する。また、使用者は、ライトガイドコネクタ３ａを取り外し、選択回動部材１２を再度回動させることにより、同様の方法を用いて接続口１５ｂ，１５ｃ，１５ｄのいずれか１つと一致するライトガイドコネクタを接続することができる。
【００２９】
このように本発明の第１実施の形態における内視鏡システム１００においては、光源装置１０のフロントパネル１３に配設された回動ノブ５２を回動させることにより、複数の異なる形状を有する内視鏡のライトガイドコネクタが接続できる接続口を選択できるようにした。
【００３０】
よって、回動ノブ５２の回動のみにより、複数の異なる形状のライトガイドコネクタと一致した接続口を選択することができるため、フロントパネル１３に複数の異なる形状のライトガイドコネクタと一致する複数の接続口及び変換コネクタを設ける必要がないことから、光源装置１０のフロントパネル１３の外観上の見栄え良が良く、また部品点数も削減することができる。さらに、内視鏡の複数の異なる形状のライトガイドコネクタを、簡単に光源装置に接続することができる。
【００３１】
また、この際、フロントパネル１３に形成された指標孔１４から、ライトガイドコネクタが接続される接続口の近傍に記載された内視鏡４の、例えば種類または製造者を識別できるようにした。
【００３２】
よって、フロントパネル１３の出力コネクタ１１には、使用する接続口のみ外部に露呈され、指標孔１４からは使用される内視鏡の、例えば種類または製造者が認識できるため、ライトガイドコネクタを間違えて接続することを防ぐことができる。
【００３３】
尚、本実施の形態においては、異なる形状のライトガイドコネクタが接続される接続口は、例えば４つであると示したが、これに限らず、何個でも形成してもよいことは云うまでもない。
【００３４】
（第２実施の形態）
図４は、本発明の第２実施の形態を示す内視鏡システムの光源装置の斜視図、図５は、図４の光源装置内に配設された回動部材の拡大正面図である。  
この第２実施の形態の内視鏡システムの構成は、上記図１乃至図３に示した内視鏡システムと殆ど同じであるが、本実施の形態においては、回動部材と選択回動部材とを同一にした点のみが異なる。よって、この相違点のみを説明し、第１実施の形態と同様の構成には同じ符号を付し、その説明は省略する。
【００３５】
図４に示すように、内視鏡システムの光源装置４０の前面に形成されたフロントパネル１３には、出力コネクタ１１が配設されている。また、フロントパネル１３であって、出力コネクタ１１の近傍には、後述する回動部材１７０の接続指標（図５参照）を表示することにより、例えば接続された内視鏡の種類または製造者を表示する開口より構成された表示手段である指標孔１４が形成されている。
【００３６】
光源装置１０のフロントパネル１３に対向する内部、詳しくは出力コネクタ１１及び指標孔１４に対向する位置には、選択回動手段である回動部材１７０が配設されている。詳しくは、図５に示すように、回動部材１７０は、外周に、例えば部分円弧状を有する複数の突起部１８が形成された円板状の部材から構成され、回動中心が光源装置１０の図示しないベースに滑り性の良い部材を介して回動自在に固定されることにより回動自在に支持されている。
【００３７】
さらに、回動部材１７０を回動させる図示しない中心軸には、例えば４つの凹部が形成されており、また、回動部材１７０の中心軸が嵌入する孔には、図示しないボールプランジャが形成されている。よって、４つの凹部とボールプランジャとはクリックストップ機構を構成しており、回動部材１７０は、凹部が形成された４つの位置にクリック感を以て回動、停止するようになっている。
【００３８】
回動部材１７０の前面には、内視鏡の例えば４種類の異なる形状のライトガイドコネクタが接続される、例えば４種類の異なる形状を有する接続口１５ａ，１５ｂ，１５ｃ，１５ｄがそれぞれ形成されており、該接続口１５ａ，１５ｂ，１５ｃの近傍には、例えば接続された内視鏡の種類または製造者を示した接続指標Ａ（１６ａ），Ｂ（１６ｂ），Ｃ（１６ｃ）がそれぞれ記載されている。
【００３９】
また、回動部材１７０の複数の突起部１８は、光源装置４０の前端部側上面から、一部が露呈されて配設されている。よって、光源装置４０から一部が露呈された複数の突起部１８を使用者が回動操作することにより、回動部材１７０は、回動するようになっている。
【００４０】
このように構成された、光源装置４０に複数の異なる形状のライトガイドコネクタを接続するには、まず、使用者は、突起部１８を例えば時計回りに回転操作すると、回動部材１７０がクリック感を以て回転する。
【００４１】
その後、使用者は、内視鏡４のライトガイドコネクタ３ａ（いずれも図１参照）の形状と、回動部材１７０に形成された接続口１５ａ，１５ｂ，１５ｃ，１５ｄの内、いずれか１つの接続口とが一致するまで、突起部１８を回転させる。尚、ここでは、説明上、接続口１５ａが一致したとする。
【００４２】
ライトガイドコネクタ３ａの形状と、接続口１５ａとが一致した後、即ち、ライトガイドコネクタ３ａの形状と一致する接続口１５ａが、光源装置４０の出力コネクタ１１と対向する位置に移動した後、言い換えれば４つの凹部の内、接続口１５ａに対応する１つの凹部にボールプランジャが嵌入した後、使用者は、突起部１８の回転を止める。
【００４３】
この際、ライトガイドコネクタ３ａの形状と接続口１５ａとが一致すると、接続口１５ａの近傍に記載された接続指標１６ａが光源装置４０のフロントパネル１３に設けられた指標孔１４から露呈されることから、使用者は、内視鏡４の、例えば種類または製造者を識別することができる。
【００４４】
ライトガイドコネクタ３ａが接続される接続口が決定した後、使用者は、光源装置４０の出力コネクタ１１にライトガイドコネクタ３ａを接続する。また、使用者は、ライトガイドコネクタ３ａを取り外し、突起部１８を再度回動させることにより、同様の方法を用いて接続口１５ｂ，１５ｃ，１５ｄのいずれか１つと一致するライトガイドコネクタを接続することができる。
【００４５】
このように本発明の第２実施の形態における内視鏡システムにおいては、上述した第１実施の形態の選択回動部材１２と回動部材１７とが一体となっている構成とした。このことにより、部品点数が削減することができる。
【００４６】
また、このように内視鏡システムを構成しても上述した第１実施の形態の内視鏡システム１００と同様の効果を得ることができる。
【００４７】
（第３実施の形態）
図６は、本発明の第３実施の形態を示す内視鏡システムの光源装置の斜視図、図７は、図６の光源装置内に配設された回動部材の駆動回路を示した電気回路図、図８は、図７の回動部材の拡大正面図である。  
この第３実施の形態の内視鏡システムの構成は、上記図１乃至図３に示した内視鏡システムと殆ど同じであるが、本実施の形態においては、回動部材をモータにより回動させた点のみが異なる。よって、この相違点のみを説明し、第１の実施形態と同様の構成には同じ符号を付し、その説明は省略する。
【００４８】
図６に示すように、内視鏡システムの光源装置８０の前面に形成されたフロントパネル１３０には、出力コネクタ１１が配設されている。また、フロントパネル１３０であって、出力コネクタ１１の近傍には、後述する制御部（図７参照）の表示制御により、例えば接続された内視鏡の種類または製造者を表示する、例えばセグメントまたは液晶表示パネルにより構成された表示手段である指標表示部２５が配設されている。さらに、光源装置８０のフロントパネル１３０に対向する内部、詳しくは出力コネクタ１１及び指標表示部２５に対向する位置には、回動部材２７０が配設されている。
【００４９】
光源装置８０は、図７に示すように、回動部材２７０を回動自在に軸支し、回動部材２７０を回動させるための板状のギヤ３０ａを有する支持部材３０と、支持部材３０のギヤ３０ａと噛合する板状のギヤ２３ａを有する、例えばステッピングモータのような一定量回転するモータ２３と、回動部材２７０の後述する突起を検出する検知手段である突起検知部材１９とモータ２３とに接続された制御部２４と、制御部２４に接続され、光源装置８０のフロントパネル１３０に配設された表示手段である、指標表示部２５と、制御部２４に接続され、光源装置８０のフロントパネル１３０に配設された切換スイッチ３４とを有している。
【００５０】
回動部材２７０の前面には、図８に示すように、内視鏡の例えば４種類の異なる形状のライトガイドコネクタが接続される、例えば４種類の異なる形状を有する接続口１５ａ，１５ｂ，１５ｃ，１５ｄがそれぞれ形成されている。
【００５１】
また、回動部材２７０の外周には、幅の異なる３つの突起、詳しくは接続口１５ａの近傍に位置する第１の検知突起部２０と、接続口１５ｂの近傍に位置する第２の検知突起部２１と、接続口１５ｄの近傍に位置する第３の検知突起部２１とが、形成されている。
【００５２】
さらに、回動部材２７０の回動軸２７０ａは、支持部材３０のギヤ３０ａの回動中心と接続されている。
【００５３】
このように構成された、光源装置４０に複数の異なる形状のライトガイドコネクタを接続するには、まず、使用者は、使用する内視鏡のライトガイドコネクタの種類を決定するため、フロントパネル１３０に配設された切換スイッチ３４をオンする。
【００５４】
切換スイッチ３４のオン信号を受けて、制御部２４は、モータ２３を一定量、例えば時計回りに回転させる。このことにより、モータ２３のギヤ２３ａと噛合する支持部材３０のギヤ３０ａが回転する。
【００５５】
支持部材３０のギヤ３０ａが回転すると、ギヤ３０ａに接続された回動軸２７０ａが回転し、該回動軸２７０ａに回動中心が接続された回動部材２７０が一定量回転する。回動部材２７０が回転を開始すると、制御部２４の動作制御の下、突起検知部材１９により回動部材２７０の外周に形成された第１の検知突起部２０と、第２の検知突起部２１と、第３の検知突起部２１との、突起の幅を検出し、検出結果を制御部２４に送信する。
【００５６】
このことにより、モータ２３の回転が制御部２４により駆動制御され、ライトガイドコネクタ３ａの形状と一致する回動部材２７０の接続口が、フロントパネル１３０の出力コネクタ１１に対向する位置に回転して移動するようになっている。尚、この際、制御部２４は、指標表示部２５に接続可能な指標を表示する。
【００５７】
このように本発明の第３実施の形態における内視鏡システムにおいては、フロントパネル１３０に配設された切換スイッチ３４を押動操作するだけで、フロントパネル１３０の出力コネクタ１１に対向する位置に、異なる形状の接続口を切り換える構成とした。
【００５８】
このことにより、使い勝手良く簡単に内視鏡のライトガイドコネクタを光源装置に接続することができる内視鏡システムを提供することができる。また、このように内視鏡システムを構成しても上述した第１実施の形態の内視鏡システム１００と同様の効果を得ることができる。
【００５９】
（第４実施の形態）
図９は、本発明の第４実施の形態を示す内視鏡システムの光源装置内に配設された回動部材の駆動回路を示した電気回路図、図１０は、図９の制御部による回動部材の停止制御のパターンを示した図表である。
【００６０】
この第４実施の形態の内視鏡システムの構成は、上記図１乃至図３に示した内視鏡システム及び上記図６乃至図８に示した内視鏡システムと殆ど同じであるが、本実施の形態においては、回動部材の突起を検出する検知手段を２つ設けた点のみが上述した第３実施の形態の内視鏡システムと異なる。よって、この相違点のみを説明し、第１実施の形態及び第３実施の形態と同様の構成には同じ符号を付し、その説明は省略する。
【００６１】
光源装置９０は、図９に示すように、光源装置９０の図示しないベース材に回動中心が回動自在に固定された回動部材３７０と、該回動部材３７０を回動させるための、例えばステッピングモータのような一定量回転する図示しないモータと、回動部材３７０の後述する突起を検出する検知手段である第１の検知部３２及び第２の検知部３３と、該第１の検知部３２及び第２の検知部３３とに接続された制御部２４と、制御部２４に接続され、光源装置９０のフロントパネル１３０に配設された、例えばセグメントまたは液晶表示パネルにより構成された表示手段である、指標表示部２５と、制御部２４に接続され、光源装置８０のフロントパネル１３０に配設された切換スイッチ３４とを有している。
【００６２】
回動部材３７０の前面には、内視鏡の例えば４種類の異なる形状のライトガイドコネクタが接続される、例えば４種類の異なる形状を有する接続口１５ａ，１５ｂ，１５ｃ，１５ｄがそれぞれ形成されている。
【００６３】
また、回動部材３７０の外周には、突起部である部分円弧状の２つの突起、詳しくは接続口１５ａの近傍に位置する第１の突起２６と、接続口１５ｂの近傍に位置する第２の突起２７とが、形成されている。尚、第１の突起２６及び第２の突起２７は、回動部材３７０が回動すると、第１の検知部３２及び／または第２の検知部３３を押圧する構成となっている。
【００６４】
このように構成された、光源装置９０に複数の異なる形状のライトガイドコネクタを接続するには、まず、使用者は、使用する内視鏡のライトガイドコネクタの種類を決定するため、フロントパネル１３０に配設された切換スイッチ３４をオンする。
【００６５】
切換スイッチ３４のオン信号を受けて、制御部２４は、上記モータを一定量、例えば時計回りに回転させる。このことにより、回動部材３７０が回転する。この際、回動部材３７０の第１の突起２６及び第２の突起２７を第１の検知部３２及び／または第２の検知部３３を用いて検出するため、制御部２４には、図１０に示すような図表を有している。
【００６６】
制御部２４は、第１の検知部３２及び第２の検知部３３が何も検出しない場合は、ライトガイドコネクタを接続する接続口は、接続口１５ｂを選択し、該接続口１５ｂをフロントパネル１３０の出力コネクタ１１に対向する位置に回動して移動させる。
【００６７】
また、制御部２４は、第１の検知部３２が第２の突起２７を検出し、第２の検知部３３が何も検出しない場合は、ライトガイドコネクタを接続する接続口は、接続口１５ａを選択し、該接続口１５ａをフロントパネル１３０の出力コネクタ１１に対向する位置に回動して移動させる。
【００６８】
さらに、制御部２４は、第１の検知部３２が第１の突起２６を検出し、第２の検知部３３が第２の突起２７を検出する場合は、ライトガイドコネクタを接続する接続口は、接続口１５ｄを選択し、該接続口１５ｄをフロントパネル１３０の出力コネクタ１１に対向する位置に回動して移動させる。
【００６９】
また、制御部２４は、第１の検知部３２が何も検出せず、第２の検知部３３が第１の突起２６を検出する場合は、ライトガイドコネクタを接続する接続口は、接続口１５ｃを選択し、該接続口１５ｃをフロントパネル１３０の出力コネクタ１１に対向する位置に回動して移動させる。
【００７０】
このように本発明の第４実施の形態における内視鏡システムにおいては、回動部材３７０の第１の突起２６及び第２の突起２７を検出する検知手段を２つ設けた。
【００７１】
このことにより、２つの突起と２つの検知部の組み合わせを用いることにより、制御部２４は、容易に接続口を選択する制御を行うことができるため、使い勝手良く簡単に内視鏡のライトガイドコネクタを光源装置に接続することができる内視鏡システムを提供することができる。また、このように内視鏡システムを構成しても上述した第１実施の形態の内視鏡システム１００と同様の効果を得ることができる。
【００７２】
［付記］
以上詳述した如く、本発明の実施形態によれば、以下の如き構成を得ることができる。即ち、
（１）光源装置と、該光源装置からの照明光を導光する光源装置に接続されたライトガイドを有する内視鏡とを、具備する内視鏡システムであって、
上記ライトガイドの一端に形成されたライトガイドコネクタと、
上記光源装置に配設され、該光源装置に上記ライトガイドコネクタが接続された際、上記ライトガイドの一端の外周を把持する把持手段と、
上記光源装置に配設され、複数の異なる形状の上記ライトガイドコネクタが接続される複数の異なる形状の上記ライトガイドコネクタの形状と一致した複数の接続口が形成された円板状の回動部材と、
上記光源装置に配設され、上記回動部材を回動させることにより、上記複数の接続口のいずれか１つを上記把持手段と対向する位置に移動させる選択回動手段と、
を有し、
上記選択回動手段が回動され、上記光源装置に接続される上記ライトガイドコネクタと一致する上記回動部材の上記接続口を、上記把持手段と対向する位置に移動させることにより、上記ライトガイドコネクタと上記接続口とは接続されることを特徴とする内視鏡システム。
【００７３】
（２）上記光源装置は、さらに表示手段を有し、上記接続口に接続された上記内視鏡の種類または製造者を表示することを特徴とする付記１に記載の内視鏡システム。
【００７４】
（３）上記表示手段は、開口より構成されており、上記回動部材の上記接続口の近傍に記載された上記内視鏡の種類または製造者を示す接続指標を表示することを特徴とする付記２に記載の内視鏡システム。
【００７５】
（４）上記表示手段は、セグメントまたは液晶表示パネルであることを特徴とする付記２または付記３に記載の内視鏡システム。
【００７６】
（５）上記回動部材及び上記選択回動手段は互いに噛合する円板状の歯車から形成されていることを特徴とする付記１から付記４のいずれかに記載の内視鏡システム。
【００７７】
（６）上記把持手段は、内向フランジを有することを特徴とする付記１に記載の内視鏡システム。
【００７８】
（７）上記選択回動手段は、モータにより駆動されることを特徴とする付記１から付記５のいずれかに記載の内視鏡システム。
【００７９】
（８）上記光源装置はさらに検知手段を有し、また上記回動部材は外周に複数の突起を有し、上記検知手段は、上記突起を検出することにより、上記選択回動手段により回動される上記回動部材の上記複数の異なる接続口の１つを、上記把持手段と対向する位置に移動させることを特徴とする付記１から付記５または付記７のいずれかに記載の内視鏡システム。
【００８０】
（９）上記検知手段は、複数からなることを特徴とする付記８に記載の内視鏡システム。
【００８１】
（１０）上記回動部材は、上記選択回動手段と同一であることを特徴とする付記１に記載の内視鏡システム。
【００８２】
（１１）上記回動部材は、外周に複数の突起部を有し、上記光源装置から一部が露呈された上記突起部が回動操作されることを特徴とする付記１から付記５または付記７から付記１０のいずれかに記載の内視鏡システム。
【００８３】
（１２）上記回動部材は、上記光源装置に対してクリックストップ機構を有し、上記光源装置に接続される上記ライトガイドコネクタの１つと一致する上記回動部材の上記複数の異なる接続口を、上記把持手段と対向する位置に停止させることを特徴とする付記１から付記５または付記７から付記１１のいずれかに記載の内視鏡システム。
【図面の簡単な説明】
【００８４】
【図１】本発明の第１実施の形態を示す内視鏡システムの構成の概略を示す図。
【図２】図１中の光源装置の斜視図。
【図３】図２中の光源装置内に配設された回動部材と選択回動部材の拡大正面図。
【図４】本発明の第２実施の形態を示す内視鏡システムの光源装置の斜視図。
【図５】図４中の光源装置内に配設された回動部材の拡大正面図。
【図６】本発明の第３実施の形態を示す内視鏡システムの光源装置の斜視図。
【図７】図６中の光源装置内に配設された回動部材の駆動回路を示した電気回路図。
【図８】図７中の回動部材の拡大正面図。
【図９】本発明の第４実施の形態を示す内視鏡システムの光源装置内に配設された回動部材の駆動回路を示した電気回路図。
【図１０】図９中の制御部による回動部材の停止制御のパターンを示した図表。
【符号の説明】
【００８５】
３…ライトガイド
３ａ…ライトガイドコネクタ
４…内視鏡
１０…光源装置
１１…出力コネクタ（把持手段）
１２…選択回動部材（選択回動手段）
１４…指標孔（開口）（表示手段）
１５ａ，１５ｂ，１５ｃ，１５ｄ…接続口
１６ａ，１６ｂ，１６ｃ…接続指標
１７…回動部材
１８…突起部
１９…突起検知部材（検知手段）
２０…第１の検知突起部（突起）
２１…第２の検知突起部（突起）
２２…第３の検知突起部（突起）
２３…モータ
２５…指標表示部（液晶表示パネル）（セグメント）
２６…第１の突起
２７…第２の突起
３２…第１の検知部
３３…第２の検知部
４０…光源装置
８０…光源装置
９０…光源装置
１００…内視鏡システム
１７０…回動部材
２７０…回動部材
３７０…回動部材
代理人    弁理士    伊藤  進
【図１】
2005152365.tif 000003
【図２】
2005152365.tif 000004
【図３】
2005152365.tif 000005
【図４】
2005152365.tif 000006
【図５】
2005152365.tif 000007
【図６】
2005152365.tif 000008
【図７】
2005152365.tif 000009
【図８】
2005152365.tif 000010
【図９】
2005152365.tif 000011
【図１０】
2005152365.tif 000012